【手続補正書】
【提出日】平成20年2月25日(2008.2.25)
【手続補正１】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が減少するように、少なくとも前記第１レンズ群及び前記第４レンズ群が物体側へ移動し、
前記第３レンズ群は、第１補助レンズ群と、第２補助レンズ群と、第３補助レンズ群とを有し、前記第２補助レンズ群は前記第１補助レンズ群の像側に空気間隔を隔てて配置されており、前記第３補助レンズ群は前記第２補助レンズ群の像側に空気間隔を隔てて配置されており、
前記第２補助レンズ群を光軸に対して略垂直な方向へ移動させることによって、像を移動させることが可能であり、
前記第３レンズ群内部を含む前記第３レンズ群近傍に開口絞りが配置されており、
以下の条件式を満足することを特徴とするズームレンズ。
０．０５＜Ｄｓ／ｆｗ＜０．７
０．１＜ｆｔ／ｆＡ＜１．５
但し、
Ｄｓ：前記開口絞りから、前記第２補助レンズ群のレンズ面のうちの前記開口絞りに最も近いレンズ面までの光軸に沿った距離，
ｆｗ：広角端状態における前記ズームレンズ全体の焦点距離，
ｆＡ：望遠端状態における前記第２補助レンズ群よりも物体側に位置する全てのレンズによる焦点距離，
ｆｔ：望遠端状態における前記ズームレンズ全体の焦点距離．
【請求項２】
前記第１補助レンズ群は、正の屈折力を有するとともに、
以下の条件式を満足することを特徴とする請求項１に記載のズームレンズ。
０．０６＜ｆａ／ｆｔ＜０．２
但し、
ｆａ：前記第１補助レンズ群の焦点距離．
【請求項３】
前記第２補助レンズ群は、１枚の正レンズと１枚の負レンズとを少なくとも有し、正の屈折力を有するとともに、
以下の条件式を満足することを特徴とする請求項１又は請求項２に記載のズームレンズ。
−０．６＜（ｎａ／ｒａ）／（ｎｂ／ｒｂ）＜０
但し、
ｒａ：前記第２補助レンズ群中の最も物体側のレンズ面の曲率半径，
ｎａ：前記第２補助レンズ群中の最も物体側のレンズのｄ線に対する屈折率，
ｒｂ：前記第２補助レンズ群中の最も像側のレンズ面の曲率半径，
ｎｂ：前記第２補助レンズ群中の最も像側のレンズのｄ線に対する屈折率．
【請求項４】
前記第３補助レンズ群は、負の屈折力を有するとともに、
以下の条件式を満足することを特徴とする請求項１から請求項３のいずれか１項に記載のズームレンズ。
０．５＜|ｆｃ|／ｆ３＜０．９
但し、
ｆｃ：前記第３補助レンズ群の焦点距離，
ｆ３：前記第３レンズ群の焦点距離．
【請求項５】
前記第３補助レンズ群は、物体側に凹面を向けた負レンズを最も物体側に有し、
以下の条件式を満足することを特徴とする請求項４に記載のズームレンズ。
０．５＜|ｒｃ|／ｆ３＜０．７５
但し、
ｒｃ：前記第３補助レンズ群中の最も物体側に配置された前記負レンズの物体側のレンズ面の曲率半径．
【請求項６】
前記第３レンズ群の前記第１補助レンズ群は、非球面を有することを特徴とする請求項１から請求項５のいずれか１項に記載のズームレンズ。
【請求項７】
前記第２レンズ群と前記第４レンズ群は、非球面を有することを特徴とする請求項１から請求項６のいずれか１項に記載のズームレンズ。
【請求項８】
前記第１レンズ群は、非球面を有することを特徴とする請求項１から請求項７のいずれか１項に記載のズームレンズ。
【請求項９】
近距離合焦時に、前記第２レンズ群を光軸方向に移動させることを特徴とする請求項１から請求項８のいずれか１項に記載のズームレンズ。
【手続補正２】
【補正対象書類名】明細書
【補正対象項目名】０００９
【補正方法】変更
【補正の内容】
【０００９】
【課題を解決するための手段】
上記課題を解決するために本発明は、
物体側より順に、正の屈折力を有する第１レンズ群と、負の屈折力を有する第２レンズ群と、正の屈折力を有する第３レンズ群と、正の屈折力を有する第４レンズ群とを有し、
広角端状態から望遠端状態までレンズ位置状態が変化する際に、前記第１レンズ群と前記第２レンズ群との間隔が増大し、前記第２レンズ群と前記第３レンズ群との間隔が減少し、前記第３レンズ群と前記第４レンズ群との間隔が減少するように、少なくとも前記第１レンズ群及び前記第４レンズ群が物体側へ移動し、
前記第３レンズ群は、第１補助レンズ群と、第２補助レンズ群と、第３補助レンズ群とを有し、前記第２補助レンズ群は前記第１補助レンズ群の像側に空気間隔を隔てて配置されており、前記第３補助レンズ群は前記第２補助レンズ群の像側に空気間隔を隔てて配置されており、
前記第２補助レンズ群を光軸に対して略垂直な方向へ移動させることによって、像を移動させることが可能であり、
前記第３レンズ群内部を含む前記第３レンズ群近傍に開口絞りが配置されており、
以下の条件式（１），（２）を満足することを特徴とするズームレンズを提供する。
（１）０．０５＜Ｄｓ／ｆｗ＜０．７
（２）０．１＜ｆｔ／ｆＡ＜１．５
但し、
Ｄｓ：前記開口絞りから、前記第２補助レンズ群のレンズ面のうちの前記開口絞りに最も近いレンズ面までの光軸に沿った距離，
ｆｗ：広角端状態における前記ズームレンズ全体の焦点距離，
ｆＡ：望遠端状態における前記第２補助レンズ群よりも物体側に位置する全てのレンズによる焦点距離，
ｆｔ：望遠端状態における前記ズームレンズ全体の焦点距離．
【手続補正３】
【補正対象書類名】明細書
【補正対象項目名】００５２
【補正方法】変更
【補正の内容】
【００５２】
（第３実施例）
図８は、本発明の第３実施例に係るズームレンズのレンズ構成を示す図である。
本実施例に係るズームレンズにおいて第１レンズ群Ｇ１は、物体側から順に、物体側に凸面を向けたメニスカス形状の負レンズと物体側に凸面を向けた正レンズとの接合レンズＬ１１と、物体側に凸面を向けたメニスカス形状の正レンズＬ１２とから構成されている。
第２レンズ群Ｇ２は、物体側から順に、像側に凹面を向けた負レンズＬ２１と、物体側に凹面を向けた負レンズＬ２２と、物体側に凸面を向けた正レンズＬ２３と、物体側に凹面を向けた負レンズＬ２４とから構成されている。
第３レンズ群Ｇ３は、物体側から順に、両凸形状の正レンズと物体側に凹面を向けた負レンズとの接合正レンズＬ３１と、物体側に凸面を向けた正レンズＬ３２と、両凸形状の正レンズと物体側に凹面を向けた負レンズとの接合正レンズＬ３３と、両凹形状の負レンズと物体側に凸面を向けた正メニスカスレンズとの接合負レンズＬ３４とから構成されている。
第４レンズ群Ｇ４は、物体側から順に、像側に凸面を向けた正レンズＬ４１と、両凸形状の正レンズと物体側に凹面を向けた負レンズとの接合レンズＬ４２とから構成されている。
【手続補正４】
【補正対象書類名】明細書
【補正対象項目名】００５３
【補正方法】変更
【補正の内容】
【００５３】
本実施例に係るズームレンズにおいて開口絞りＳは、第３レンズ群Ｇ３中に配置され、レンズ位置状態が変化する際に第３レンズ群Ｇ３と共に移動する。
また、第２レンズ群Ｇ２中の負レンズＬ２１は、物体側レンズ面に非球面形状の薄いプラスチック樹脂層を備えている。
また、本実施例に係るズームレンズは、第３レンズ群Ｇ３中の接合正レンズＬ３１と正レンズＬ３２とが第１補助レンズ群、接合正レンズＬ３３が第２補助レンズ群、接合負レンズＬ３４が第３補助レンズ群として機能する構成である。
以下の表３に、本発明の第３実施例に係るズームレンズの諸元の値を掲げる。
【手続補正５】
【補正対象書類名】明細書
【補正対象項目名】００５４
【補正方法】変更
【補正の内容】
【００５４】
（表３）
（全体諸元）
広角端状態    中間焦点距離状態    望遠端状態
ｆ         28.80   〜      100.00      〜   291.01
ＦNO        3.70   〜        5.32      〜     5.90
２ω       76.77   〜       23.72      〜     8.27°
（レンズデータ）
面    曲率半径    間隔   屈折率   アッベ数
1     92.4229    1.900   1.84666  23.78
2     66.7560    7.750   1.49700  81.61
3   -846.2717    0.100   1.0
4     63.6267    4.950   1.49700  81.61
5    165.9874    (D5)    1.0
6    128.4411    0.200   1.51742  52.42
7    101.5414    1.150   1.72916  54.66
8     17.1504    6.250   1.0
9    -46.5218    1.000   1.75500  52.32
10     66.4470    0.100   1.0
11     33.9329    4.200   1.84666  23.78
12    -53.7522    1.800   1.0
13    -26.2934    0.900   1.83481  42.72
14   -885.5810    (D14)   1.0
15      0.0000    2.200   1.0              （開口絞り）
16     23.3505    7.000   1.58913  61.18
17    -25.1524    0.800   1.80400  46.58
18   -280.9645    0.100   1.0
19     37.9321    3.200   1.51633  64.14
20   -414.9721    4.050   1.0
21     34.8328    3.850   1.75500  52.32
22    -60.1069    0.800   1.84666  23.78
23   -456.9696    3.100   1.0
24    -21.2766    0.800   1.83400  37.17
25     32.5985    2.650   1.48749  70.24
26    863.3676    (D26)   1.0
27    145.6193    3.600   1.51633  64.14
28    -30.7860    0.100   1.0
29    629.7219    7.700   1.66680  33.04
30    -13.2652    0.900   1.83481  42.72
31    -80.0893    (Bf)    1.0
（非球面係数）
第６レンズ面と第１６レンズ面と第２８レンズ面とは非球面であり、それぞれの非球面係数を以下に示す。
［第６面］
κ＝-4.2585   Ｃ4 ＝+4.4810×10−6    Ｃ6 ＝+1.2417×10−8
Ｃ8 ＝-1.0672×10−10   Ｃ10＝+3.1231×10−13
［第１６面］
κ＝1.0000   Ｃ4 ＝-3.9585×10−6    Ｃ6 ＝+4.2904×10−9
Ｃ8 ＝-8.0515×10−12   Ｃ10＝+4.2777×10−14
［第２８面］
κ＝1.0000   Ｃ4 ＝+1.0383×10−5    Ｃ6 ＝-1.4668×10−8
Ｃ8 ＝+1.2224×10−10   Ｃ10＝-1.4347×10−12
（可変間隔データ）
レンズ位置状態が変化する際の可変間隔を以下に示す。
広角端状態  中間焦点距離状態  望遠端状態
ｆ        28.8001       100.0017       291.0077
D7         1.5358        36.1674        61.1207
D16       27.1675        12.0649         0.8000
D23        6.3826         2.6488         2.0000
BF        39.5003        75.7001        90.8947
（シフトレンズ群のシフト量）
半画角０．３度に相当する量だけ像シフトさせるために必要な第２補助レンズ群のシフト量δｂを以下に示す。
広角端状態  中間焦点距離状態  望遠端状態
ｆ        28.8001       100.0017       291.0077
δｂ       0.1123         0.2444         0.6095
（条件式対応値）
ｆＡ ＝224.755
ｆａ ＝  30.182
ｆｃ ＝-19.750
ｆ３ ＝  35.153
（１）Ｄｓ／ｆｗ ＝ 0.602
（２）ｆｔ／ｆＡ ＝ 1.295
（３）ｆａ／ｆｔ ＝ 0.104
（４）（ｎａ／ｒａ）／（ｎｂ／ｒｂ） ＝ -0.080
（５）|ｆｃ|／ｆ３ ＝ 0.562
（６）|ｒｃ|／ｆ３ ＝ 0.605